(57)【特許請求の範囲】
【請求項１】
車両に設置されたり連結されるキャンプコンテナにおいて、
床を構成する床パネルと、
「┗」字状に形成されて互いに対向するように前記床パネルに連結され、前記床パネルの外側または内側方向に摺動可能な一対の側壁構造体と、
一対が互いに対向するように設置されて、前記側壁構造体にそれぞれヒンジ連結され、「┓」字状を有するように屈折部が形成され、前記屈折部を中心として一側に位置する一側部と、他側に位置して前記一側部より前記屈折部から末端までの長さが長い他側部とを含んで構成され、前記他側部が相互ヒンジ連結される屋根構造体と、
前記他側部に連結されて、前記キャンプコンテナの高さ方向に昇降され、上昇時に前記屋根構造体を広げて前記一側部が前記側壁構造体と一緒に前記キャンプコンテナの側壁になるようにし、前記他側部が前記キャンプコンテナの屋根になるようにし、前記屋根構造体の動作に応じて前記側壁構造体が前記床パネルの外側方向に摺動されるようにして前記キャンプコンテナの内部空間が拡張されるようにする昇降手段と、を含むキャンプコンテナ。
【請求項２】
前記側壁構造体には第１ドア部材が形成され、
前記一側部には前記第１ドア部材にヒンジ連結される第２ドア部材が形成され、
前記屋根構造体が広がる場合、前記第１ドア部材と前記第２ドア部材が前記キャンプコンテナの内部に出入り可能なドアを形成することを特徴とする請求項１に記載のキャンプコンテナ。
【請求項３】
前記床パネルには、
前記車両の運転席側または運転席の反対側の何れか一つまたは両側に装着される隔壁を含むことを特徴とする請求項２に記載のキャンプコンテナ。
【請求項４】
前記側壁構造体及び前記屋根構造体の両側端には補助パネルが付着されることを特徴とする請求項３に記載のキャンプコンテナ。
【請求項５】
前記昇降手段は、
前記床パネルに設置されて油圧または空圧によって昇降動作する多段式シリンダー、２つのリンクバーがヒンジ軸を介してＸ字状に交差して昇降されるリフト、スクリュージャッキ（ｓｃｒｅｗ  ｊａｃｋ）の中の何れか一つであることを特徴とする請求項１〜４の中の何れか一項に記載のキャンプコンテナ。
【請求項６】
前記昇降手段は、
前記床パネルに設置されて昇降動作される昇降棒と、
前記昇降棒に連結される第１ローラーと、前記第１ローラーから離れて配置される第２ローラーとが装着され、前記昇降棒の動作に応じて昇降され、昇降される方向に沿って昇降ガイドが形成される昇降板と、
前記第１ローラーと前記第２ローラーとの間に配置され、前記昇降ガイドに沿って昇降可能であり、前記他側部に連結されて前記屋根構造体を動作させる昇降ローラーと、
一側末端と他側末端が前記床パネルに固定され、前記第１ローラーと前記昇降ローラー及び前記第２ローラーの間にかけて構成され、前記昇降板の動作に応じて前記第１ローラーと前記昇降ローラー及び前記第２ローラーにかけられた長さが変化して前記昇降ローラーを昇降させるワイヤと、を含むことを特徴とする請求項１〜４の中の何れか一項に記載のキャンプコンテナ。
【請求項７】
前記昇降板の上側には屋根カバーが配置されて、一対の前記屋根構造体の間に形成される隙間を塞ぐことを特徴とする請求項６に記載のキャンプコンテナ。
【発明の詳細な説明】
【技術分野】
【０００１】
本発明は移動型住居空間を提供するキャンプコンテナに関し、より詳しくは、簡単で且つ容易に拡張される簡単な構造で形成して、縮小された状態では移動と保管（駐車）時に使用者の便利性を向上させ、拡張して使用するときは住居空間として十分な容積と住宅に必要な断熱機能など住居空間として十分な安定性を提供することができ、簡単で且つ迅速に内部空間を拡張したり縮小して活用することができるキャンプコンテナに関する。
【背景技術】
【０００２】
最近、車両にベッド及びキッチンなどの生活道具が完備された函体状のキャンプコンテナ（トレーラー）を設置して、使用者が場所に制限されず所望の場所で宿泊することができるようにしたキャンプコンテナが急速に普及して使用されている。
【０００３】
しかしながら、従来のキャンプコンテナは移動の便宜のために、様々な便宜設備や住宅設備を必要とする人々が広い空間を利用することができないという空間の使用に制限があるという問題点があった。
【０００４】
そこで、例えば、特許文献１に開示されている「折畳型拡張キャンプコンテナ」や特許文献２に開示されている「キャンピングカー」などではキャンプコンテナの内部空間を拡張することができるようにしている。
【０００５】
しかしながら、特許文献１や特許文献２のような従来技術の場合、キャンプコンテナの内部空間の拡張時に高さや幅方向のみに拡張することができる構造であるか、高さと幅方向の両方に拡張するが、この場合、住居空間として断熱と安定性に問題があった。
【発明の概要】
【発明が解決しようとする課題】
【０００６】
本発明は、前述したような問題点を解決補完するためのものであり、本発明の目的は、簡単で且つ容易に拡張される簡単な構造で形成して、縮小された状態では移動と保管（駐車）時に使用者の便利性を向上させ、拡張して使用するときは住居空間として十分な容積と住宅に必要な断熱機能など住居空間として十分な安定性を提供することができるキャンプコンテナを提供することにある。
【０００７】
本発明の他の目的は、簡単で且つ迅速に内部空間を拡張したり縮小して活用することができるキャンプコンテナを提供することにある。
【課題を解決するための手段】
【０００８】
前述した課題を達成するための本発明によれば、車両に設置されたり連結されるキャンプコンテナにおいて、床を構成する底パネルと、「┗」字状に形成して互いに対向するように床パネルに連結され、床パネルの外側または内側の方向に摺動可能な一対の側壁構造体と、一対が互いに対向するように設置されて側壁構造体にそれぞれヒンジ連結され、「┓」字状を有するように屈折部が形成され、屈折部を中心として一側に位置する一側部と他側に位置して一側部より屈折部から末端までの長さが長い他側部とを含んで構成され、他側部が相互ヒンジ連結される屋根構造体と、他側部に連結されてキャンプコンテナの高さ方向に昇降し、上昇時に屋根構造体を広げて一側部が側壁構造体と一緒にキャンプコンテナの側壁になるようにし、他側部がキャンプコンテナの屋根になるようにし、屋根構造体の動作に応じて側壁構造体が床パネルの外側方向に摺動されるようにしてキャンプコンテナの内部空間が拡張されるようにする昇降手段とを含むキャンプコンテナを提供する。
【０００９】
側壁構造体には第１ドア部材が形成され、一側部には第１ドア部材にヒンジ連結される第２ドア部材が形成され、屋根構造体を広げる場合、第１ドア部材と第２ドア部材がキャンプコンテナの内部に出入り可能なドアを形成するように構成されることができる。
【００１０】
床パネルには、車両の運転席側または運転席の反対側の何れか一つまたは両方に装着される隔壁を含むように構成されることができる。
【００１１】
側壁構造及び屋根構造体の両側端には補助パネルが付着されるように構成されることができる。
【００１２】
昇降手段は、床パネルに設置されて油圧または空圧によって昇降動作する多段式シリンダー、２つのリンクバーがヒンジ軸を介してＸ字状に交差してて昇降されるリフト、スクリュージャッキ（ｓｃｒｅｗ  ｊａｃｋ）の中のいずれか一つで構成されることができる。
【００１３】
昇降手段は、床パネルに設置されて昇降動作する昇降棒と、昇降棒に連結される第１ローラーと第１ローラーから離れて配置される第２ローラーとが装着されて昇降棒の動作に応じて昇降され、昇降される方向に沿って昇降ガイドが形成される昇降板と、第１ローラーと第２ローラーとの間に配置され、昇降ガイドに沿って昇降可能であり、他側部に連結されて、屋根構造体を動作させる昇降ローラーと、一側末端と他側末端が底パネルに固定され、第１ローラーと昇降ローラー及び第２ローラーの間にかけて構成され、昇降板の動作に応じて第１ローラーと昇降ローラー及び第２ローラーにかけられた長さが変化して昇降ローラーを昇降させるワイヤとを含んで構成することができる。
【００１４】
昇降板の上側には屋根カバーが配置されて一対の屋根構造体の間に形成される隙間を塞ぐように構成されることができる。
【発明の効果】
【００１５】
本発明に係るキャンプコンテナによれば、簡単で且つ容易に拡張される簡単な構造で形成して、縮小された状態では移動と保管（駐車）時に使用者の便利性を向上させ、拡張して使用するときは住居空間として十分な容積と住宅に必要な断熱機能など住居空間として十分な安定性を提供することができるという効果を奏する。
【００１６】
また、本発明は簡単で且つ迅速に内部空間を拡張したり縮小して活用することができるという効果を奏する。
【図面の簡単な説明】
【００１７】
【図１】本発明の第１実施例に係るキャンプコンテナが車両に設置された状態を示した斜視図である。
【図２】図１に示したキャンプコンテナの分解図である。
【図３】図１に示したキャンプコンテナが拡張される状態を示した断面図である。
【図４】図１に示したキャンプコンテナが拡張される状態を示した断面図である。
【図５】図１に示したキャンプコンテナが拡張される状態を示した断面図である。
【図６】図３の「Ａ」部分の拡大図である。
【図７】図１に示したキャンプコンテナの内部空間が拡張された状態を示した斜視図である。
【図８】本発明の第２実施例に係るキャンプコンテナの斜視図である。
【図９】図８に示したキャンプコンテナが拡張される状態を示した断面図である。
【図１０】図８に示したキャンプコンテナが拡張される状態を示した断面図である。
【図１１】図８に示したキャンプコンテナが拡張される状態を示した断面図である。
【図１２】図８に示したキャンプコンテナの内部空間が拡張された状態を示した斜視図である。
【発明を実施するための形態】
【００１８】
以下、図面を参照して詳細に説明する。しかし、これらの図面は例示的な目的で用いただけであって、本発明がこれに限定されるのではない。
【００１９】
図１は本発明の第１実施例に係るキャンプコンテナが車両に設置された状態を示した斜視図であり、図２は図１に示したキャンプコンテナの分解図である。
【００２０】
図１〜図２によれば、本発明の第１実施例に係るキャンプコンテナ１００は車両２００に設置されるもので、大体床パネル１１０と、側壁構造体１２０と、屋根構造体１３０と、昇降手段１４０とを含んで構成される。
【００２１】
床パネル１１０はキャンプコンテナ１００の底を構成する構成要素であり、後述する側壁構造体１２０の一部が床パネル１１０の内側に挿入されたり、床パネル１１０に載せられて摺動可能に引き出しなどを開閉するために用いられる構成、例えば、図３に示すように、側壁構造体１２０の移動をガイドする移動ガイド１２４（ガイドレールと側壁構造体が移動可能に支持し、原位置回転される回転ローラーなど）が備えられることができる。その他に、側壁構造体１２０が円滑に摺動することができるように油圧や空圧で側壁構造体１２０を押し出したり引っ張るシリンダーなどが配置されて用いられることができる。
【００２２】
このような床パネル１１０には、車両２００の運転席側または運転席の反対側の中の何れか一つまたは両方に隔壁１１２が装着されて、キャンプコンテナ１００の内部空間が拡張されたとき、側壁構造体１２０によって遮られない前方側と後方側を遮ることができる。前記隔壁１１２は、図１のように、キャンプコンテナ１００が車両２００に設置され、キャンプコンテナ１００の前方側（車両の運転席側）が車両２００によって遮られる場合は、後方側（車両の運転席の反対側）のみに装着されて構成されることができる。
【００２３】
側壁構造体１２０は一対で構成され、「┗」字状に形成されて互いに対向するように床パネル１１０に連結されて床パネル１１０の外側または内側の方向に摺動可能な構成要素で、キャンプコンテナ１００の両側壁を構成する。側壁構造体１２０の中の何れか一つまたは両方には第１ドア部材１２２が形成される。第１ドア部材１２２は後述する屋根構造体１３０に形成される第２ドア部材１３４ａと一緒にキャンプコンテナ１００の内部に出入り可能なドアＤを構成する。
【００２４】
屋根構造体１３０は、一対が互いに対向するように設置されて、側壁構造体１２０にそれぞれヒンジ連結され、「┓」字状をなすように屈折部１３２が形成され、屈折部１３２を中心として一側に位置する一側部１３４と他側に位置して一側部より屈折部１３２から末端までの長さが長い他側部１３６とを含んで構成され、他側部１３６が相互ヒンジ連結される構成要素である。このように一側部１３４よりも長く形成される他側部１３６は後述する昇降手段１４０によって屋根構造体１３０が広がった時キャンプコンテナ１００の屋根を構成してキャンプコンテナ１００の内部空間が拡張される。また、一側部１３４には前述した第１ドア部材１２２にヒンジ連結される第２ドア部材１３４ａが形成されて、屋根構造体１３０が広がる場合、第１ドア部材１２２と一緒にドアＤを形成することになる。
【００２５】
一方、側壁構造体１２０と屋根構造体１３０の両側端部には補助パネルＳＰが取り付けられる。補助パネルＳＰは、キャンプコンテナ１００の内部空間の拡張時に隔壁１１２によって遮られていない部分を遮る。
【００２６】
昇降手段１４０は、屋根構造体１３０の他側部１３６に連結されてキャンプコンテナ１００の高さ方向に昇降する構成要素である。昇降手段１４０は、上昇時にヒンジ連結された一対の屋根構造体１３０と屋根構造体１３０にヒンジ連結された側壁構造体１２０を動作させてキャンプコンテナ１００の内部空間を拡張する。このような昇降手段１４０は、底パネル１１０に設置されて油圧または空圧によって昇降動作する多段式シリンダーや２つのリンクバーがヒンジ軸を介してＸ字状に交差して昇降されるリフト、スクリュージャッキ（ｓｃｒｅｗ  ｊａｃｋ）またはバーが床パネル１１０に倒された状態で、バーの長さ方向側に押す力によって屋根構造体１３０に連結された末端が徐々に上昇する構造などを利用することができる。
【００２７】
図３〜図５は図１に示したキャンプコンテナが拡張される状態を示した断面図であり、図６は図３の「Ａ」部分の拡大図であり、図７は図１に示したキャンプコンテナの内部空間が拡張された状態を示した斜視図である。この時、図３〜図５は本発明の動作状態を理解しやすいように側壁構造体と屋根構造体の両側端に取り付けられる補助パネルは省略して示した。
【００２８】
まず、図３は図１に示したキャンプコンテナ１００の断面図で、キャンプコンテナ１００が拡張される前の状態を示したものである。このような状態では、屋根構造体１３０の一側部１３４がキャンプコンテナ１００の屋根になり、側壁構造体１２０がキャンプコンテナ１００の側壁をなし、隔壁１１２がキャンプコンテナ１００の前方側と後方側を遮る役割を果たす。ここで、側壁構造体１２０と底パネル１１０との間には側壁構造体１２０が円滑に摺動可能にする移動ガイド１２４が用いられる。これは、引き出しなどを開閉するときに用いられる構成などに広く用いられている構成であるため、詳細な説明は省略する。図３では簡略な拡大図として移動ガイドを示したが、図１と図４及び図５は移動ガイドを省略した。その他にも側壁構造体１２０を押したり引っ張るシリンダー構造のように側壁構造体１２０が円滑に摺動可能な構成であれば使用可能である。
【００２９】
次に、図４はキャンプコンテナ１００が拡張される状態を示したものであり、昇降手段１４０の昇降に応じて昇降手段１４０に連結されている一対の屋根構造体１３０の他側部１３６が押し上げられながら屋根構造体１３０が広がる。この時、屋根構造体１３０が広がる力はヒンジ連結された側壁構造体１２０に伝達され、この力によって側壁構造体１２０は床パネル１１０に対して外側方向に摺動される。
【００３０】
昇降手段１４０が側壁構造体１２０の高さまで上昇すると、側壁構造体１２０は床パネル１１０に対して外側方向に最も遠く摺動、すなわち幅方向への拡張が最大となり、昇降手段１４０が側壁構造体１２０の高さを過ぎて上昇すると、側壁構造体１２０は床パネル１１０に対して内側方向へ若干摺動される。このために、底パネル１１０に挿入されている側壁構造体１２０の末端に原位置回転可能な転がり部材を設置し、この転がり部材が斜面に沿って上がったり下りながら側壁構造体１２０の動作を補助することができる構造、例えばカム構造を適用することができる。
【００３１】
最終的には、図５及び図７に示すように、昇降手段１４０が最大限に上昇すると、屋根構造体１３０の一側部１３４は、側壁構造体１２０と一緒にキャンプコンテナ１００の側壁になり、屋根構造体１３０の一側部１３４より屈折部１３２から末端までの長さが長い屋根構造体１３０の他側部１３６がキャンプコンテナ１００の屋根になって、キャンプコンテナ１００は、図１に示したキャンプコンテナ１００に比べて上側と両側の内部空間が拡張されるので、使用者がより広い空間を利用することができる。また、側壁構造体１２０に形成された第１ドア部材１２２と屋根構造体１３０の一側部１３４に形成された第２ドア部材１３４ａが一緒にキャンプコンテナ１００の側壁にドアＤを形成するので、キャンプコンテナ１００への出入りが可能になる。
【００３２】
このように拡張された状態のキャンプコンテナ１００を使用した後、キャンプコンテナ１００の内部空間を縮小しようとする場合には、上述したのと反対に昇降手段１４０を下降させると、屋根構造体１３０が折られながら側壁構造体１２０が床パネル１１０に対して内側方向に摺動されて、最終的に図１のような状態に戻る。
【００３３】
図８は、本発明の第２実施例に係るキャンプコンテナの斜視図である。
【００３４】
図８によれば、本発明の第２実施例に係るキャンプコンテナ１００は、第１実施例とは異なり、車両２００に連結されるトレーラーに用いられるもので、このように、本発明に係るキャンプコンテナ１００は車両２００に設置したりまたは車両２００に連結して使用可能である。
【００３５】
そして、本発明の第２実施例に係るキャンプコンテナ１００には、屋根を構成する一対の屋根構造体１３０の間の隙間を塞ぐように屋根カバー１４４ｄが用いられる。
【００３６】
一方、本発明の第２実施例に係るキャンプコンテナ１００は、第１実施例に係るキャンプコンテナ１００と類似するように構成されるが、油圧または空圧によって昇降動作される多段式シリンダーまたはスクリュージャッキ（ｓｃｒｅｗ  ｊａｃｋ）などのような昇降手段１４０を用いる第１実施例とは異なり、間接式油圧昇降機などに用いられるローピング方式の昇降手段１４０を用いるという点で相違する。
【００３７】
図９〜図１１は図８に示したキャンプコンテナが拡張される状態を示した断面図であり、図１２は図８に示したキャンプコンテナの内部空間が拡張された状態を示した斜視図である。
【００３８】
まず、図９は本発明の第２実施例に係るキャンプコンテナ１００が拡張される前の状態を示したものであり、本発明の第２実施例で用いられる昇降手段１４０は、大体昇降棒１４２、昇降板１４４、昇降ローラー１４６及びワイヤ１４８を含んでなる。
【００３９】
昇降棒１４２は底パネル１１０に設置されて昇降動作する構成要素で、第１実施例で用いられる昇降手段１４０である油圧または空圧によって昇降動作される多段式シリンダーまたはスクリュージャッキ（ｓｃｒｅｗ  ｊａｃｋ）を用いることができる。
【００４０】
昇降板１４４は、昇降棒１４２に連結される第１ローラー１４４ａ、第１ローラー１４４ａから離れて配置される第２ローラー１４４ｂが装着されて、昇降棒１４２の動作に応じて昇降され、昇降される方向に沿って昇降ガイド１４４ｃが形成される構成要素である。昇降板１４４の上側には、ゴムや合成樹脂などの材質からなる屋根カバー１４４ｄが配置されて一対の屋根構造体１３０の間に形成される隙間を塞いで雨などがキャンプコンテナ１００の内側に流入されることを防止する。
【００４１】
昇降ローラー１４６は第１ローラー１４４ａと第２ローラー１４４ｂとの間に配置され、昇降板１４４の昇降ガイド１４４ｃに沿って昇降可能であり、屋根構造体１３０の他側部１３６に連結されて屋根構造体１３０を動作させる構成要素である。
【００４２】
ワイヤ１４８は、一側末端と他側末端が底パネル１１０に固定され、第１ローラー１４４ａと昇降ローラー１４６及び第２ローラー１４４ｂの間にかけて構成され、昇降板１４４の動作に応じて、第１ローラー１４４ａと昇降ローラー１４６及び第２ローラー１４４ｂにかけられた長さが変化して昇降ローラー１４６を昇降させる構成要素である。
【００４３】
これは、図１０のように昇降棒１４２が上昇すると、これに連結されている第１ローラー１４４ａを押し上げ、さらに第１ローラー１４４ａが装着されている昇降板１４４を上昇させる。昇降板１４４の上昇に応じて、第１ローラー１４４ａと昇降ローラー１４６及び第２ローラー１４４ｂにかけられているワイヤ１４８の長さが短くなり、それにより昇降ローラー１４６が上昇する。昇降ローラー１４６は、一対の屋根構造体１３０の他側部１３６に連結されているので、昇降ローラー１４６の上昇とともに屋根構造体１３０の他側部１３６が押し上げられて、屋根構造体１３０が昇降板１４４の上側に配置されている屋根カバー１４４ｄを通りながら広がる。そして、屋根構造体１３０の広がる動作に応じて側壁構造体１２０は床パネル１１０に対して外側方向に摺動される。
【００４４】
その後、屋根構造体１３０が完全に広がると、図１１及び図１２に示すように、屋根構造体１３０の一側部１３４は、側壁構造体１２０と一緒にキャンプコンテナ１００の側壁になり、一側部１３４より屈折部１３２から末端までの長さが長い他側部１３６がキャンプコンテナ１００の屋根になり、他側部１３６の間の隙間は、屋根カバー１４４ｄによって塞がれて雨などが内部に流入されることを防止することになる。
【００４５】
一方、本明細書では、本発明の第２実施例に係るキャンプコンテナ１００で屋根カバー１４４ｄが用いられることで説明したが、第１実施例の場合、屋根カバー１４４ｄを着脱式に構成して、図１のような状態で屋根カバー１４４ｄを取り付けて雨等が浸透しないようにし、キャンプコンテナを拡張するときは、屋根カバー１４４ｄを取り外して拡張した後再度取り付けて用いることもできる。
【００４６】
このように、本発明が属する技術分野における当業者は、本発明の技術的思想や必須特徴を変更せず他の具体的な形で実施され得ることを理解すべきである。
【００４７】
従って、以上で記述した実施例はすべての面で例示的なものであり、限定的なものではないことと理解すべきであり、本発明の範囲は前述した詳細な説明ではなく、後述する特許請求の範囲によって定められ、特許請求範囲の意味及び範囲そしてその等価概念から導出されるすべての変更または変形された形態が本発明の範囲に含まれるものと解釈すべきである。
【図１】
0006522804.tif 000002
【図２】
0006522804.tif 000003
【図３】
0006522804.tif 000004
【図４】
0006522804.tif 000005
【図５】
0006522804.tif 000006
【図６】
0006522804.tif 000007
【図７】
0006522804.tif 000008
【図８】
0006522804.tif 000009
【図９】
0006522804.tif 000010
【図１０】
0006522804.tif 000011
【図１１】
0006522804.tif 000012
【図１２】
0006522804.tif 000013